(57)【要約】【課題】撮像装置の状態を使用者に視覚的情報により正確に認識させる撮像装置を提供する。【解決手段】被写体を照射するための複数の発光体を備えた発光装置（ステップＳ１０２，Ｓ１０３）の発光状態を制御する発光制御手段を有する撮像装置であって、当該撮像装置の状態（ステップＳ１１２，Ｓ１１４）に応じて前記発光体に該状態を視覚的情報により報知させるように前記発光制御手段を制御する（ステップＳ１１３，Ｓ１１５，Ｓ１１６）報知制御手段を有する。【選択図】図４
2010134092.tif 000002
【特許請求の範囲】
【請求項１】
被写体を照射するための複数の発光体を備えた発光装置の発光状態を制御する発光制御手段を有する撮像装置であって、
当該撮像装置の状態に応じて前記発光体に該状態を視覚的情報により報知させるように前記発光制御手段を制御する報知制御手段を有することを特徴とする撮像装置。
【請求項２】
前記発光装置は、外付けストロボまたは内蔵ストロボであることを特徴とする請求項１に記載の撮像装置。
【請求項３】
前記視覚的情報は、数値、文字、または絵による情報であることを特徴とする請求項１または２に記載の撮像装置。
【請求項４】
前記視覚的情報により報知させるのは、セルフタイマー機能の状態であることを特徴とする請求項１ないし３のいずれかに記載の撮像装置。
【請求項５】
前記視覚的情報により報知させるのは、撮像素子の受光面のクリーニングモード中における電源の電圧の状態であることを特徴とする請求項１ないし３のいずれかに記載の撮像装置。
【請求項６】
前記視覚的情報により報知させるのは、撮影により取得した画像データの判定結果であることを特徴とする請求項１ないし３のいずれかに記載の撮像装置。
【請求項７】
前記視覚的情報により報知させるのは、撮影により取得した画像データの判定結果に応じた再撮影であることを特徴とする請求項６に記載の撮像装置。
【請求項８】
前記画像データの判定は、オートフォーカス情報に基づいて行われることを特徴とする請求項６に記載の撮像装置。
【請求項９】
前記画像データの判定は、瞳検出情報に基づいて行われることを特徴とする請求項６に記載の撮像装置。
【発明の詳細な説明】
【技術分野】
【０００１】
本発明は、発光装置に撮像装置の状態を報知させる撮像装置に関するものである。
【背景技術】
【０００２】
従来、カメラ等の撮像装置に対して正面に位置した場合、その撮像装置の状態（制御状態、動作状態等）を知らせる方法として数々の技術が提案されている。例えば、撮像装置にはセルフタイマーといった機能が内蔵されているが、被撮影者に撮影までの待ち時間を報知するために、撮像装置に内蔵されている赤目ランプを点滅させることや、電子音を周期的に発生させるといった技術がある。
【０００３】
また、レンズ着脱可能な撮像装置では、塵が撮像素子の受光面に付着してしまった場合に備えてその受光面をクリーニングする機能（センサクリーニング機能）が搭載されている。このセンサクリーニング動作中の突然の電池の電源切れによるシャッタ幕の破損を防ぐため、赤目ランプ、電子音等の警告で使用者に報知する技術がある。
【特許文献１】特開平０５−１５０３０６号公報
【特許文献２】特開２００４−２６０６１５号公報
【発明の開示】
【発明が解決しようとする課題】
【０００４】
しかしながら、上述したセルフタイマーによる報知については、いつ撮影されるかは撮影者は正確には判らない。そのため、撮影終了を確認できる時まで一定の姿勢を保つ必要が生じ、運悪く目つぶりも発生する場合があり、自然な笑顔で取れない可能性も生じる。
【０００５】
また、センサクリーニング中の電池の電圧レベル低下の警告については、直感的にそれが警告であることが分かりにくく、撮像装置が壊れたのではないか等、ユーザーに不安を与えてしまう虞があった。
【０００６】
（発明の目的）
本発明の目的は、撮像装置の状態を使用者に視覚的情報により正確に認識させることのできる撮像装置を提供しようとするものである。
【課題を解決するための手段】
【０００７】
上記目的を達成するために、本発明は、被写体を照射するための複数の発光体を備えた発光装置の発光状態を制御する発光制御手段を有する撮像装置であって、当該撮像装置の状態に応じて前記発光体に該状態を視覚的情報により報知させるように前記発光制御手段を制御する報知制御手段を有する撮像装置とするものである。
【発明の効果】
【０００８】
本発明によれば、撮像装置の状態を使用者に視覚的情報により正確に認識させることができる撮像装置を提供できるものである。
【発明を実施するための最良の形態】
【０００９】
本発明を実施するための最良の形態は、以下の実施例１および２に示す通りである。
【実施例１】
【００１０】
図１は本発明の実施例１に係わる撮像装置の概略を示す構成図である。図１において、１０１は撮影シーケンスなどシステムを制御するためのＭＰＵ、１０３は被写体からの反射光を電気信号に変換するＣＣＤやＣＭＯＳ等の撮像素子である。１０２は撮像素子１０３を動作させるために必要なタイミング信号を発生するタイミング信号発生回路、１０４はアナログ画像データをデジタル画像データに変換するＡ／Ｄ変換器である。１０５はメモリの読み書きやバッファメモリ１０６のリフレッシュ動作などを制御するためのメモリコントローラである。１０７はバッファメモリに蓄えられた画像データを表示する画像表示部、１０８は記録媒体との接続のためのインターフェース、１０９はメモリカードやハードディスクなどの記録媒体である。
【００１１】
１１０はＥＥＰＲＯＭであり、ＭＰＵ１０１がカメラ動作を制御する際に使用する調整データ等を書き込んだり、その保存しているデータを読み出したりする。１１１はモータ制御回路であり、露出動作時にＭＰＵ１０１からの信号に従って不図示のモータを制御することにより、不図示のミラーのアップ・ダウンやシャッタのチャージを行わせる。１１２はシャッタ制御回路であり、ＭＰＵ１０１からの信号に従って、不図示のシャッタ先幕、シャッタ後幕の通電をカットし、幕走行させ、露出動作を制御する。１１３は測光回路であり、１１４は画面内を複数のエリアに分割した多分割測光センサである。
【００１２】
測光回路１１３および多分割測光センサ１１４は、シリコンフォトダイオードなどの受光素子とこの受光素子で発生した光電流を増幅するアンプなどから構成されている集積回路である。この多分割測光センサ１１４の受光部は、撮像素子やフィルム等の感光部材の画面とほぼ同一の範囲の光を受光するように配置されており、光が当たると所定の光電流を発生する。光電流の出力は公知の対数圧縮増幅器を経て、各々の出力値を順次ＭＰＵ１０１に送信する。
【００１３】
ＭＰＵ１０１は、各々の素子からの出力をＡ／Ｄ変換器１１８により変換を行うことにより、撮影範囲各部の輝度をデジタル値として扱い、撮影の露出調節のための絞り値の演算とシャッタスピードの演算を行う。また、ストロボ使用時には、後述の外付けストロボまたは内蔵ストロボにて被写体へ向けて予備発光されていない定常状態と予備発光されている状態の双方の状態に対して、多分割測光センサ１１４によって輝度信号が出力される。ＭＰＵ１０１はこの輝度信号をＡ／Ｄ変換器１１８により変換を行い、ストロボ撮影の露出調節のための絞り値の演算とシャッタスピードの演算および露光時のストロボメイン発光量の演算を行う。
【００１４】
１１５はレンズ制御回路であり、不図示のレンズマウント接点を介してＭＰＵ１０１と通信し、不図示のレンズ駆動モータ及びレンズ絞りモータを動作させ、レンズの焦点調節と絞りを制御している。１１６は焦点検出回路であり、ＡＦ（オートフォーカス）のための被写体に対するデフォーカス量を検出する機能を有する。
【００１５】
１１７はスイッチセンス回路であり、各種のスイッチの状態信号を検知している。各種のスイッチには、レリーズボタンの第１ストロークでＯＮして測光およびＡＦを開始させるスイッチＳＷ１、レリーズボタンの第２ストロークでＯＮして露光動作を開始させるスイッチＳＷ２が含まれる。さらには、不図示のカメラの操作部材である単写／連写／セルフタイマー設定スイッチ、絞り設定スイッチ、シャッタ速度設定スイッチ、内蔵ストロボポップアップスイッチなどが含まれる。スイッチセンス回路１１７はこれらスイッチの状態を検知し、ＭＰＵ１０１に信号を送る。ＭＰＵ１０１内のＤ／Ａ変換器１１９では、ＬＥＤ発光輝度の制御を行うためのコンパレート電圧を出力する。
【００１６】
１２０はストロボ制御部であり、発光パターンや発光輝度、発光時間等の発光処理を行うための制御部である。１２１は被写体を照射するとともに撮像装置の状態（制御状態や動作状態等）を報知する機能を有する外付け／内蔵ストロボの発光部である。
【００１７】
次に、図２を用いて、外付け／内蔵ストロボの発光部１２１におけるＬＥＤユニットについての基本的な回路図について説明する。
【００１８】
図２において、２０１は複数個並べられたＬＥＤ（発光ダイオード）、２０２は定電流回路、２０３は電源、２０４はＬＥＤドライバである。ＬＥＤ２０１と定電流回路２０２とによりＬＥＤユニットが構成される。したがって、ＬＥＤ２０１の数だけＬＥＤユニットを有することになる。
【００１９】
定電流回路２０２では、ＭＰＵ１０１からの出力値であるコンパレート電圧値をＤ／Ａ変換器１１９により取得する。この電圧値によってＬＥＤ２０１に流れる電流が可変となり、ＬＥＤ２０１の輝度レベル等を調整することが可能になっている。ＬＥＤドライバ２０４では、ＭＰＵ１０１からのシリアル通信によるデータを変換し、ＬＥＤユニットに対しての電流源の遮断を行うためのスイッチＯＮ／ＯＦＦの切り替えを行うことができる。
【００２０】
なお、本実施例１では、ＬＥＤドライバ２０４と複数個配置されたＬＥＤユニットを内蔵する発光部１２１が構成されており、内蔵ストロボも外付けストロボも同様の構成となっている。
【００２１】
因みに、発光部１２１にＬＥＤ２０１が配置されている数は、図３に示すように、ストロボの輝度として十分で、且つ、数値、絵、文字などにより視覚的情報の表示を形成できる数であればよい。
【００２２】
次に、上記構成の撮像装置の動作について、図１〜図３を用いて、図４のフローチャートにしたがって説明する。
【００２３】
図４のステップＳ１０１では、ＭＰＵ１０１は、不図示のセルフタイマー設定釦が押下されると、セルフタイマー設定画面を画像表示部１０７に表示し、セルフタイマーの詳細設定を使用者に行わせる。セルフタイマー詳細設定は、露光するまでの待ち時間、目つぶり状態や合焦失敗で撮影した場合によるリトライ回数等である。ＭＰＵ１０１は、使用者により設定されるセルフタイマー時間、リトライ回数を読み取り、不図示の内蔵ＲＡＭに格納する。
【００２４】
次のステップＳ１０２では、ＭＰＵ１０１は、ストロボ制御部１２０より前述した発光部１２１を有する外付けストロボが装着されているか等の情報を取得する。その結果、外付けストロボが装着され、かつ、電源ＯＮの場合はステップＳ１０４へ進むが、未装着、または、装着されているが電源ＯＦＦの場合はステップＳ１０３へ進む。ステップＳ１０３では、内蔵ストロボが収納型であれば、発光部１２１をポップアップして露出状態にし、いつでも発光できる状態にしておく。
【００２５】
次のステップＳ１０４では、ＭＰＵ１０１は、スイッチＳＷ１がＯＮされたか否かの判定を行い、ＯＮの場合は測光およびＡＦを開始させるためにステップＳ１０５へ進み、ＯＦＦの場合はＯＮするまでこのステップで待機する。
【００２６】
スイッチＳＷ１がＯＮであるとしてステップ１０５へ進むと、ＭＰＵ１０１は、測光回路１１３および多分割測光センサ１１４を駆動して測光を開始する。そして、多分割測光センサ１１４にて得られる出力値を取り込み、Ａ／Ｄ変換器１１８により撮影範囲各部の輝度をデジタル値に変換し、撮影の露出調節のための絞り値の演算とシャッタスピードの演算を行う。さらにＬＥＤユニット（ＬＥＤ）の輝度を調節するために、測光結果による輝度レベルに応じたコンパレート電圧設定値を内蔵のＲＡＭに格納しておく。ＬＥＤユニットの輝度レベルを調節する理由は、日中撮影等の明るい場所での撮影は、ＬＥＤ２０１から発する表示が見えにくくなるため、ＥＶ（露出値）が高い場合は輝度レベルを上げる。また，ＥＶが低い場合は、ＬＥＤ２０１から発する表示が見える範囲内の輝度レベルまで下げ、省電力化を図る。多色のＬＥＤを搭載した構造であれば、輝度の代わりに発光色を調節しても良い。
【００２７】
次のステップＳ１０６では、ＭＰＵ１０１は、焦点検出回路１１６を介してＡＦ（オートフォーカス）のための被写体に対するデフォーカス量を検出し、合焦の場合はステップＳ１０７へ進み、非合焦の場合はステップＳ１０４へ戻る。但し、合焦していなくても撮影が可能なマニュアル撮影方式等の場合は、ステップＳ１０６の条件は無効となる。
【００２８】
次のステップＳ１０７では、ＭＰＵ１０１は、スイッチＳＷ２がＯＮされたか否かの判定を行い、ＯＮであれば露光動作を開始させるためにステップＳ１０８へ進み、ＯＦＦの場合はステップＳ１０６へ戻る。
【００２９】
スイッチＳＷ２がＯＮであるとしてステップ１０８へ進むと、ＭＰＵ１０１は、露光制御１を行う。つまり、不図示のモータを制御することにより、不図示のミラーのアップやシャッタ先幕の通電をカットし、先幕走行の制御を開始し、露光状態にする。そして、次のステップＳ１０９にて、撮像素子１０３で蓄積された電荷の出力をタイミング信号発生回路１０２に開始させ、Ａ／Ｄ変換器１０４でデジタル画像データをバッファメモリ１０６に記憶させる。そして、その画像データから瞳検出処理を行う。
【００３０】
上記の瞳検出処理は様々な方法があるが、本実施例１においては、肌色とみなされる領域を切り出すことで、先ず、被写体の顔と思われる領域検出を行い、検出された顔領域内に対して、瞳の位置を想定し、その付近で瞳の色成分の検出処理を行う。瞳の色成分の検出の有無により被写体が目をつぶっているか否かの状態を識別することが可能となる。そして、その中で目をつぶっていない人数を不図示のＲＡＭに保存し、バッファメモリ１０６に記憶していた画像データを消去する。
【００３１】
そして、セルフタイマー用のカウントダウン制御を行う。文字表示のパターンはＭＰＵ１０１に内蔵のＲＯＭにテーブルとして格納する。例えば、ＬＥＤ２０１が複数配置された発光部１２１が、図３に示すように、縦×横＝１２×１６で、計１９２個によって数字の３の表示を出力する。すると、ＭＰＵ１０１は、以下のデータをＬＥＤドライバ２０４へシリアル通信により転送する。
【００３２】
Ｎｕｍ３［１２］［１６］＝｛
｛０，０，０，０，１，１，１，１，１，１，１，１，０，０，０，０｝
｛０，０，０，１，１，１，１，１，１，１，１，１，０，０，０，０｝
｛０，０，０，１，１，０，０，０，０，０，０，１，１，０，０，０｝
｛０，０，０，１，０，０，０，０，０，０，１，１，０，０，０，０｝
｛０，０，０，０，０，０，０，０，０，０，１，１，０，０，０，０｝
｛０，０，０，１，１，１，１，１，１，１，１，０，０，０，０，０｝
｛０，０，０，０，１，１，１，１，１，１，１，１，０，０，０，０｝
｛０，０，０，０，０，０，０，０，０，０，１，１，０，０，０，０｝
｛０，０，０，１，０，０，０，０，０，０，１，１，１，０，０，０｝
｛０，０，１，１，０，０，０，０，０，０，１，１，０，０，０，０｝
｛０，０，０，１，１，１，１，１，１，１，１，１，０，０，０，０｝
｛０，０，０，１，１，１，１，１，１，１，１，０，０，０，０，０｝｝
ＬＥＤドライバ２０４はそのデータを読み取り、各々のＬＥＤ２０１に対して“１”の場合はスイッチＯＮ、“０”の場合はスイッチＯＦＦの切り替えを行う。そして、上記ステップＳ１０５で取得したコンパレート電圧設定値をＤ／Ａ変換器１１９を用いて出力し、文字表示を行う。
【００３３】
以上の処理により、所望の輝度と視覚的情報の表示を、複数のＬＥＤユニットよりなる発光部１２１を持つ外付けもしくは内蔵ストロボから報知させることが可能となる。
【００３４】
上記ステップＳ１０１でセルフタイマー時間の設定が例えば５秒であるとした場合、ステップＳ１０９でのカウントダウン制御では、ＭＰＵ１０１に内蔵のタイマーを１秒刻みでカウントする。そして、その刻みカウントに連動して視覚的荷よる数値表示「５，４，３，２，１」を上記制御にて行う。さらに、上記の瞳検出処理についてカウントに連動して再処理を行う。すなわち、カウントが進むごとに新たな画像データをバッファメモリ１０６に記憶させ、その画像データから瞳検出処理を行う。本実施例では、セルフタイマー時間を５秒に設定しているため、５回同様の処理を行う。最終の瞳検出処理内ではそれぞれの瞳検出処理で出力された目をつぶっていない人数の最も大きい値をＥｙｅＡとして不図示のＲＡＭに記憶する。
【００３５】
次のステップＳ１１０では、スイッチＳＷ２のＯＮから時間が経過しているのでピントがずれている可能性がある。そのため、ＭＰＵ１０１は、上記ステップＳ１０６の制御と同様に被写体に対するデフォーカス量を検出し、合焦再判定を行う。但し、このステップＳ１１０においては、合焦／非合焦に関わらずステップＳ１１１へ進む。なお、合焦判定結果は不図示のＲＡＭに格納する。
【００３６】
次のステップＳ１１１では、ＭＰＵ１０１は、露光制御２（本露光）を行う。露光制御２におけるレンズ絞り値と露光時間は上記ステップＳ１０５の演算で得られた絞り値とシャッタスピードに従う。露光終了後はステップＳ１０８と同様に画像データをバッファメモリ１０６に記憶する。
【００３７】
次のステップＳ１１２では、ＭＰＵ１０１は、バッファメモリ１０６に記憶した画像データを用いて上記ステップＳ１０９で説明した瞳検出処理を再度行う。ここで得られた目をつぶっていない人数をＥｙｅＢとする。ＥｙｅＡ＞ＥｙｅＢの場合は、目つぶり状態とみなしてステップＳ１１４へ進む。また、上記ステップＳ１１０で取得している合焦再判定結果で非合焦判定であった場合にもステップＳ１１４へ進む。そのどちらでもない場合はステップＳ１１３へ進む。
【００３８】
ステップＳ１１３へ進むと、ＭＰＵ１０１は、図３（ｂ）に示すレリーズ表示結果Ａを上記ステップＳ１０９のカウントダウン制御と同様の制御により発光部１２１に表示（報知）する。そして、最後に後幕シャッタの通電カットを行い、後幕走行を開始し、その後先幕／後幕シャッタ通電を行い、先幕／後幕シャッタを元の位置に戻し、ミラーダウンをさせる。そして、バッファメモリ１０６に記憶していた撮影画像データを記録媒体Ｉ／Ｆ１０８を介して記録媒体１０９に記録し、終了となる。
【００３９】
また、目つぶり状態もしくは非合焦であるとしてステップＳ１１２からステップＳ１１４へ進んだ場合、ＭＰＵ１０１は、上記ステップＳ１０１であらかじめ設定していた目つぶり状態や合焦失敗で撮影した場合によるリトライ回数の値が１以上か否かを判定する。その結果、１以上であればその値を１デクリメントしてステップＳ１１６へ進み、図３（ｄ−１），（ｄ−２）に示すレリーズ表示結果Ｃを発光部１２１に時系列に表示（報知）して再撮影を行うためにステップＳ１０８に戻り、以下同様の動作を繰り返す。
【００４０】
また、上記ステップＳ１１４にてリトライ回数が０回と判定した場合はステップＳ１１５へ進み、図３（ｃ）に示すレリーズ表示結果Ｂを発光部１２１に表示（報知）する。そして、最後に後幕シャッタの通電を停止して後幕走行を開始し、その後先幕／後幕シャッタ通電を行い、先幕／後幕シャッタを元の位置に戻し、ミラーダウンをさせる。そして、バッファメモリ１０６に記憶していた撮影画像データを記録媒体Ｉ／Ｆ１０８を介して記録媒体１０９に記録し、終了となる。
【００４１】
上記の実施例１に係わる撮像装置は、以下の構成要素を有する。撮影時に被写体を照射するための複数の発光体（ＬＥＤ２０１）よりなる発光装置（発光部１２１）を有するか、あるいは、外付けされる。さらに、発光装置のそれぞれの発光体の発光状態を制御する発光制御手段（ストロボ制御部１２０）を有する。さらに、撮像装置の状態に応じて発光体に視覚的情報により撮像装置の状態を報知する報知制御手段（ＭＰＵ１０１）を有する。
【００４２】
上記視覚的情報は、図３に示すように、数値、文字（もしくは絵であっても良い）による表示であり、実施例１では、撮像装置のセルフタイマー機能の状態や撮影失敗等の報知を行う例を示している。
【００４３】
よって、撮像装置の状態を視覚的表示により正確に使用者に報知できることになる。詳しくは、撮影される瞬間を正確に使用者に認識させ、目つぶりの失敗写真等を減少させることが可能となる。
【００４４】
また、撮像装置がセルフタイマー撮影状態である場合は、オートフォーカス情報や瞳検出情報に基づいて、非合焦や目つぶりの状態を判定する。そして、その結果を発光装置にて視覚的情報により報知する。そして、失敗写真とみなした際には自動で再撮影（リトライ撮影）を行わせるようにしている。これにより、撮影時に目をつぶったとしても、瞳検出情報を使用することによって失敗写真とみなし、自動でリトライ撮影を行う撮像装置を提供可能となる。
【実施例２】
【００４５】
図５および図６は本発明の実施例２に係わる撮像装置を示す図である。詳しくは、図５は撮像装置の背面図であり、回路構成は図１と同様であるものとする。図６は外付けストロボを装着もしくは内蔵ストロボをポップアップさせてその発光部により視覚的情報をもって撮像装置の状態を報知している状態を示す撮像装置の正面図である。
【００４６】
本実施例２では、撮像装置には塵が撮像素子１０３に付着してしまった場合に備えて撮像素子１０３の受光面から塵を除去するセンサクリーニング機能が搭載されている。センサクリーニングモード時の状態を視覚的情報により外付け／内蔵ストロボの発光部１２１にて報知する実施例を示すものである。以下、図１、図５〜図７を用いて、図８のフローチャートにしたがってその動作を説明する。
【００４７】
図８のステップＳ２０１では、ＭＰＵ１０１は、電源電圧（携帯電池）のレベルが図７に示すＶｂ以上の電圧レベルであるか否かを判定し、Ｖｂ未満の電圧レベルである場合は、センサクリーニングは開始することができないのでそのまま終了する。Ｖｂ以上の電圧レベルである場合はステップＳ２０２へ進む。
【００４８】
次のステップＳ２０２にて、使用者により図５に示すＭＥＮＵ釦が押されると、ＭＰＵ１０１は、図５に示すように画像表示部１０７に選択画面を表示する。さらに、ＳＥＬＥＣＴ釦によりセンサクリーニングされてＹＥＳ釦が押されると、ＭＰＵ１０１は、センサクリーニング開始が選択されたとして、収納型内蔵ストロボが使用される場合は発光部１２１をポップアップして露出状態にさせる（図６参照）。そして、ステップＳ２０３へ進む。
【００４９】
次のステップＳ２０３では、ＭＰＵ１０１は、例えばレリーズボタン１２２（図５参照）の第２ストロークによりスイッチＳＷ２がＯＮされたか否かを判定し、ＯＮであればセンサクリーニングを行うための動作を開始させるためにステップＳ２０５へ進む。また、ＯＦＦ状態の場合はステップＳ２０４へ進む。
【００５０】
ステップＳ２０４へ進むと、ＭＰＵ１０１は、不図示のカメラを起動させるための電源スイッチの状態を判定し、ＯＦＦであればセンサクリーニング動作はせずにそのまま終了する。一方、ＯＮのままであればステップＳ２０３へ進み、再度スイッチＳＷ２の状態判定を行う。
【００５１】
上記ステップＳ２０３にてスイッチＳＷ２がＯＮされたことを判定するとセンサクリーニングを行うためにステップＳ２０５へ進み、ＭＰＵ１０１は、ミラー制御を行うモータ制御回路１１１を介してモータを駆動し、ミラーを撮影光路より退避させる。ミラーが退避し終える（ミラーアップ完了する）と上記モータの駆動を停止させる。
【００５２】
上記ミラーアップが完了するとステップＳ２０６へ進み、ＭＰＵ１０１は、シャッタ制御回路１１２を介して先幕の通電を中止する。これにより、先幕の走行が開始される。このように先幕が走行すると、バルブ状態になるので、レンズを取りはずすことによってセンサクリーニングの作業を開始することが可能となる。
【００５３】
以降は、センサクリーニング作業中の処理となっている。センサクリーニング作業中は、シャッタ後幕に通電して後幕が走行しないように保持しているので、電源から一定の電流が消費されている。
【００５４】
そのため、次のステップＳ２０７では、ＭＰＵ１０１は、電源の電圧レベルのチェックを行う。つまり、電源の電圧レベルが図７のＶｂ未満まで低下したか否かを判定し、Ｖｂ未満となったらＬＥＤ警告表示をするためにステップＳ２１１へ進む。また、電圧レベルがＶｂ未満まで低下していない場合はステップＳ２０８へ進む。
【００５５】
ステップＳ２０８では、ＭＰＵ１０１は、センサクリーニング作業の終了操作、つまり不図示のカメラを起動させるための電源スイッチがＯＦＦされたか否かを判定する。電源スイッチがＯＦＦされていなければステップＳ２０７へ戻り、同様の動作を繰り返す。一方、センサクリーニング作業の終了操作がなされた（電源スイッチがＯＦＦされた）場合はステップＳ２０９，Ｓ２１０へ進む。
【００５６】
ステップＳ２０９，Ｓ２１０では、ＭＰＵ１０１は、クリーニング作業が終了処理として、後幕の通電のカットを行い、後幕走行を開始させる。そして、後幕走行の終了後に、ミラー制御を行うモータ制御回路１１１を介してモータを駆動し、ミラーを撮影光路に進入させる（ミラーダウンさせる）。そして、ミラーがダウンしきったところで、上記モータの駆動を停止させる。引き続いて、シャッタ制御回路１１２を介して先幕、後幕の通電を行い、先幕、後幕を元の位置に戻して終了となる。
【００５７】
また、上記ステップＳ２０７にてセンサクリーニング作業中に電源の電圧レベルが図７のＶｂ未満まで低下したことを判定すると、ＭＰＵ１０１は、上記したようにステップＳ２１１へ進む。そして、このステップＳ２１１では、警告表示１を行う。詳しくは、センサクリーニング作業中に電源の電圧レベルがＶｂ未満になったら、図６のような電圧レベル低下警告表示を発光部１２１によって視覚的情報をもって報知する。ＬＥＤユニットの点灯方法（視覚的情報表示の方法）は上記実施例１と同様であるため、省略する。
【００５８】
次に、上記の警告表示１を行いながら電源の電圧レベルのチェックを行うためにステップＳ２１２へ進み、ＭＰＵ１０１は、電源の電圧レベルを判定する。ここでは、電圧レベルが図６のＶｃ未満であるか否かを判定し、Ｖｃ未満である場合は、最終警告を発するためにステップＳ２１４以降へ進み、電圧レベルがＶｃ未満でない場合はステップＳ２１３へ進む。
【００５９】
電圧レベルがＶｃ未満でないとしてステップＳ２１３へ進むと、ＭＰＵ１０１は、センサクリーニング作業終了の判定を行う。この判定は、上記ステップＳ２０８での動作と同様であるので、その詳細は省略する。ここでセンサクリーニング作業が終了していない場合はステップＳ２１２へ戻り、終了している場合は前述のステップＳ２０９以降へと進む。
【００６０】
また、センサクリーニング作業中に電源の電圧レベルがＶｃ未満であるとしてステップＳ２１４へ進むと、ＭＰＵ１０１は、ミラー制御を行うモータ制御回路１１１を介してモータを駆動し、ミラーのダウンさせる。そして、ミラーがダウンしきったところで上記モータの駆動を停止させ、ミラーダウン動作を終了させる。これによって、センサクリーニング作業を強制的に中止させるようにする。
【００６１】
上記ミラーダウンをさせた後はステップＳ２１５へ進み、ＭＰＵ１０１は、発光部１２１にて警告表示２を行う。詳しくは、後幕走行するまでの時間、「５，４，３，２，１」というように発光部１２１にカウントダウン表示を行う。
【００６２】
上記カウントダウン終了後はステップＳ２１６へ進み、ＭＰＵ１０１は、後幕シャッタの通電のカットを行い、後幕走行を開始させ、その後、先幕、後幕シャッタ通電を行い、先幕、後幕を元の位置に戻して、終了する。
【００６３】
以上述べたように、本実施例２によれば、センサクリーニングモード中に、電源の電圧レベルが低下（降下）した場合、電圧レベルが低下したことの警告を、視覚的情報により報知するようにしている。これにより、使用者は、センサクリーニング作業中であっても、電池残量がなくなったと認識することができ、センサクリーニング作業中に後幕が走行してシャッタ幕が破損してしまうといったことを未然に防ぐことが可能になる。
【００６４】
なお、上記実施例１および２において例示される構成部品の寸法、形状、それらの相対配置などは、本発明が適用される装置の構成や各種条件により適宜変更されるべきものであり、本発明がそれらの例示に限定されるものではない。
【図面の簡単な説明】
【００６５】
【図１】本発明の各実施例に係わる撮像装置の構成例を示したブロック図である。
【図２】図１の外付け／内蔵ストロボの発光部の構成を示した回路図である。
【図３】本発明の実施例１に係わる外付け／内蔵ストロボの発光部での視覚的情報による警告表示例を示す図である。
【図４】本発明の実施例１に係わるセルフタイマーモード時の動作を示すフローチャートである。
【図５】本発明の実施例２に係わる撮像装置を示す背面図である。
【図６】本発明の実施例２に係わる外付け／内蔵ストロボの発光部での視覚的情報による警告表示例を示す図である。
【図７】本発明の実施例２に係わるセンサクリーニング時の警告表示を行わせる電源電圧レベルの一例を示す図である。
【図８】本発明の実施例２に係わるセンサクリーニング時の動作を示すフローチャートである。
【符号の説明】
【００６６】
１０１  ＭＰＵ
１０３  撮像素子
１０６  バッファメモリ
１０７  画像表示部
１１６  焦点検出回路
１１７  スイッチセンス回路
１２０  ストロボ制御部
１２１  外付け／内蔵ストロボの発光部
２０１  ＬＥＤ
２０２  定電流回路
２０３  電源
２０４  ＬＥＤドライバ
【図１】
2010134092.tif 000003
【図２】
2010134092.tif 000004
【図３】
2010134092.tif 000005
【図４】
2010134092.tif 000006
【図５】
2010134092.tif 000007
【図６】
2010134092.tif 000008
【図７】
2010134092.tif 000009
【図８】
2010134092.tif 000010